(57)【要約】      （修正有）【課題】チューブ本体と、口頸部、並びに蓋付きキャップで構成した容器内の残留状態の流動物は、容器を転倒（逆さ）状態にし、流動物を口頸部・チューブ本体の収れん部に移動し、押出し口より押出すが、チューブ本体の流動物だけでなく、口頸部の残留流動物も取出せる構造を提供する。【解決手段】可撓性のチューブ本体１と、チューブ本体１の押出し側で、かつ収れん部１００に設けた口頸部２と、口頸部２に設けたキャップで構成したマヨネーズ、ケチャップ、ジャム、化粧液の流動物用の容器であって、口頸部２を膜状肉薄部とするとともに、口頸部２の内面と、チューブ本体１の内面は、前記流動物が抵抗なく流れるための誘導面３を介して段差無く連設される構造とし、また、口頸部２には、押出し口を備えた前記キャップが設けられる構造とする。【選択図】図２
2010168084.tif 000002
【特許請求の範囲】
【請求項１】
可撓性のチューブ本体と、このチューブ本体の押出し側で、かつ収れん部に設けた口頸部と、この口頸部に設けたキャップで構成したマヨネーズ、ケチャップ、ジャム、化粧液の流動物用の容器であって、
前記口頸部を膜状肉薄部とするとともに、この口頸部の内面と、前記チューブ本体の内面は、前記流動物が抵抗なく流れるための誘導面を介して段差無く連設される構造とし、また、この口頸部には、押出し口を備えた前記キャップが設けられる構造とした容器の構造。
【請求項２】
請求項１に記載の容器の構造であって、
前記口頸部の基端部に肉厚環状部を形成し、この肉厚環状部の周面に、間隔をおいて一個又は数個の突起を設け、また、前記キャップの差込み口部に、嵌込み用の肉薄部と、この肉薄部の内面に、間隔をおいて一個又は数個の凹を設けるとともに、このキャップの差込み基端部に、前記口頸部の押出し開口部が嵌入する環状凹条を設ける構造とした容器の構造。
【請求項３】
請求項１に記載の容器の構造であって、
前記キャップの押出し開口部に、口部誘導面を繞設するとともに、この口部誘導面が押出し口に向かって、収れんする構造とした容器の構造。
【発明の詳細な説明】
【技術分野】
【０００１】
本発明は、マヨネーズ、ケチャップ、ジャム、食用のクリーム、又は化粧液（クリーム）、塗り薬等の高粘度流動物（内容物）用の容器に関する。
【背景技術】
【０００２】
従来、この種の容器の構造は、チューブ本体と、口頸部、並びにキャップ（蓋付きキャップ）で構成されており、キャップ又は蓋（以下、蓋付きキャップで説明する）を取外した後に、その押出し口より、流動物を押出し使用する構造である。従って、容器内の流動物が少なくなった状態（残留状態の流動物）では、この容器を転倒（逆さ）状態にし、流動物を口頸部及び／又はチューブ本体の収れん部に移動し、この移動した流動物を、押出し開口部及び押出し口より取出す（絞出す、押出す）構造である。このような所作で、チューブ本体の流動物は取出せるが、口頸部の流動物（残留流動物）は、取出すことは困難である。
【０００３】
この口頸部及び／又はチューブ本体の収れん部の流動物を、確実に取出し、また、充分に使い切るには、この口頸部及び／又はチューブ本体を切断する所作も行なわれている。しかし、このような使い切り方法は、厄介であり、かつ美感上でも好ましくないと考えられる。
【０００４】
このような課題を解決するための手段を、先行文献からピックアップすると、次のような文献が挙げられるので、以下に説明する。
【０００５】
（文献１）は、特開２００７−８４１３６の「チューブ容器」である。この発明の構造は、明細書の［０００６］に記載の如く、「キャップ、筒状胴部、肩部を有し、キャップと螺着する取出し口部の外周がネジ部で構成されている押し出しチューブ容器にあって、該ネジ部及び肩部に凹状の溝を設けることにより、内容物の使い切りに際し、取出し口部及び肩部の変形を容易にし、これにより取出し口部及び肩部の残存する内容物が容易に取出せるようにしたことである。」、その特徴は、明細書の［０００５］に記載の如く、「デザイン面に制限が無く、内容物の使い切り性を向上し、内容物のチューブ内残量を低減し、内容物の使い切りに際し、容易に内容物の取出しが可能なチューブ容器の提供である。」。
【０００６】
（文献２）は、特開２００７−６２７８３の「可撓性容器」である。この発明の構造は、明細書の［００１０］に記載の如く、「可撓性容器は、口頸部の先端の吐出口から可撓変形可能な容器本体で構成した合成樹脂製の容器であって、この容器本体の口頸部の近傍位置に、容器本体の周方向において、切断誘導線を繞設した。」、その特徴は、明細書の［０００７］に記載の如く、「口頸部や口頸部の近傍の部分に残された内容物を容易に取り出して、収容された内容物を無駄なく使用できる可撓性容器の提供である。」。
【０００７】
（文献３）は、特開２００８−２１３８８３の「可撓性容器」である。この発明の構造は、明細書の［００１８］に記載の如く、「容器本体の口頸部の近傍に、この押し出し方向に向かって延設するとともに、その周辺方向において対峙した構造の対の陥没誘導線を設け、また、口頸部の押し出し方向に向かって延設するとともに、その周辺方向において対峙した構造の対の間欠連設部と、この対の間欠連設部間に設けた対の間欠折曲げ部でなる。」、その特徴は、明細書の［０００８］に記載の如く、「膜部材が融着された口頸部を押潰し変形させ易くして、口頸部や口頸部の近傍の部分に残された内容物を容易に吐出させることのできる可撓性容器の提供である。」。
【０００８】
【特許文献１】特開２００７−８４１３６
【特許文献２】特開２００７−６２７８３
【特許文献３】特開２００８−２１３８８３
【発明の開示】
【発明が解決しようとする課題】
【０００９】
前記（文献１）は、取出し口部に加工した構造であり、取出し口部を押し潰すことで、残留流動物を取出すことの特徴を有する。しかし、筒状胴部と肩部、並びに取出し口部に到る内面において、特別な構造を採用しないことから、残留流動物を最後まで取出すには、困難視される。また、（文献２）は、容器本体に切断誘導線を設けた構造であり、容器本体を、押し潰することで、全ての流動物を取出すことを意図する。しかし、容器本体と肩部、並びに口頸部に到る内面において、特別な構造を採用しないことから、残留流動物を最後まで取出すには、困難視される。さらに、（文献３）は、容器本体の口頸部の近傍に対の陥没誘導線と、対の間欠連設部、並びに対の間欠折曲げ部を設けた構造であり、口頸部を押し潰すことで、残留流動物を取出すことの特徴を有する。しかし、容器本体と肩部、並びに口頸部に到る内面において、特別な構造を採用しないことから、残留流動物を最後まで取出すには、困難視される。
【００１０】
また、前記（文献１）〜（文献３）の発明の如く、取出し口部、又は口頸部に、単に、螺着してキャップを取付ける構造では、この取出し口部、又は口頸部を肉薄形状とした場合には、キャップを、安定的に取付けることが困難視され、その改良が望まれる処である。
【００１１】
さらに、前記（文献１）〜（文献３）は、キャップは、通常の筒体で構成することから、このキャップ内にある少量の残留流動物を、最後まで取出すことは、不可能であり、その改良が望まれる処である。
【課題を解決するための手段】
【００１２】
請求項１の発明は、チューブ本体、口頸部内の流動物を、単に、チューブ本体を、押し潰することで、確実、かつスムーズに取出しできる容器の提供、又はこの使用後に残る、略全ての残留流動物を確実、かつスムーズに取出しできる容器の提供等を意図する。そして、また、この請求項１の発明では、チューブ本体及び／又は口頸部の肉厚を薄く保っても、チューブ本体及び／又は口頸部の内面形状と、チューブ本体の底部の肉厚及び／又は外周面に凸状輪郭を設けて凹形状とすることで、このチューブ本体及び／又は口頸部の形状と、強度性が確保できる容器の提供を意図する。
【００１３】
請求項１は、可撓性のチューブ本体と、このチューブ本体の押出し側で、かつ収れん部に設けた口頸部と、この口頸部に設けたキャップで構成したマヨネーズ、ケチャップ、ジャム、化粧液の（高粘度）流動物用の容器であって、
前記口頸部を膜状肉薄部とするとともに、この口頸部の内面と、前記チューブ本体の内面は、前記流動物が抵抗なく流れるための誘導面を介して段差無く連設される構造とし、また、この口頸部には、押出し口を備えた前記キャップが設けられる構造とした容器の構造である。
【００１４】
請求項２の発明は、請求項１の目的を達成しつつ、口頸部及び／又はキャップ内の流動物を、単に、チューブ本体を、押し潰することで、確実、かつスムーズに取出しできる容器の提供、又はこの使用後に残る、略全ての残留流動物を確実、かつスムーズに取出しできる容器の提供等を意図する。
【００１５】
請求項２は、請求項１に記載の容器の構造であって、
前記口頸部の基端部に肉厚環状部を形成し、この肉厚環状部の周面に、間隔をおいて一個又は数個の突起を設け、また、前記キャップの差込み口部に、嵌込み用の肉薄部と、この肉薄部の内面に、間隔をおいて一個又は数個の凹を設けるとともに、このキャップの差込み基端部に、前記口頸部の押出し開口部が嵌入する環状凹条を設ける構造とした容器の構造である。
【００１６】
請求項３の発明は、請求項１の目的を達成しつつ、口頸部及び／又はキャップ内の流動物を、単に、チューブ本体を、押し潰することで、確実、かつスムーズに取出しできる容器の提供、又はこの使用後に残る、少なくとも、キャップの略全ての残留流動物を確実、かつスムーズに取出しできる容器の提供等を意図する。
【００１７】
請求項３は、請求項１に記載の容器の構造であって、
前記キャップの押出し開口部に、口部誘導面を繞設するとともに、この口部誘導面が押出し口に向かって、収れんする構造とした容器の構造である。
【発明の効果】
【００１８】
請求項１の発明は、可撓性のチューブ本体と、チューブ本体の押出し側で、かつ収れん部に設けた口頸部と、口頸部に設けたキャップで構成したマヨネーズ、ケチャップ、ジャム、化粧液の流動物用の容器であって、
口頸部を膜状肉薄部とするとともに、口頸部の内面と、チューブ本体の内面は、流動物が抵抗なく流れるための誘導面を介して段差無く連設される構造とし、また、口頸部には、押出し口を備えたキャップが設けられる構造とした容器の構造である。
【００１９】
従って、請求項１は、チューブ本体、口頸部内の流動物を、単に、チューブ本体を、押し潰することで、確実、かつスムーズに取出しできる容器の提供、又はこの使用後に残る、略全ての残留流動物を確実、かつスムーズに取出しできる容器の提供等が図れる特徴がある。そして、また、この請求項１は、チューブ本体及び／又は口頸部の肉厚を薄く保っても、チューブ本体及び／又は口頸部の内面形状と、チューブ本体の底部の肉厚及び／又は外周面に凸状輪郭を設けて凹形状とすることで、このチューブ本体及び／又は口頸部の形状と、強度性が確保できる容器の提供ができる実益がある。
【００２０】
請求項２の発明は、請求項１に記載の容器の構造であって、
口頸部の基端部に肉厚環状部を形成し、肉厚環状部の周面に、間隔をおいて一個又は数個の突起を設け、また、キャップの差込み口部に、嵌込み用の肉薄部と、肉薄部の内面に、間隔をおいて一個又は数個の凹を設けるとともに、キャップの差込み基端部に、口頸部の押出し開口部が嵌入する環状凹条を設ける構造とした容器の構造である。
【００２１】
従って、請求項２は、請求項１の目的を達成しつつ、口頸部及び／又はキャップ内の流動物を、単に、チューブ本体を、押し潰することで、確実、かつスムーズに取出しできる容器の提供、又はこの使用後に残る、略全ての残留流動物を確実、かつスムーズに取出しできる容器の提供等が図れる特徴がある。
【００２２】
請求項３の発明は、請求項１に記載の容器の構造であって、
キャップの押出し開口部に、口部誘導面を繞設するとともに、口部誘導面が押出し口に向かって、収れんする構造とした容器の構造である。
【００２３】
従って、請求項３は、請求項１の目的を達成しつつ、口頸部及び／又はキャップ内の流動物を、単に、チューブ本体を、押し潰することで、確実、かつスムーズに取出しできる容器の提供、又はこの使用後に残る、少なくとも、キャップの略全ての残留流動物を確実、かつスムーズに取出しできる容器の提供等が図れる特徴がある。
【発明を実施するための最良の形態】
【００２４】
本発明の一例を説明する。
【００２５】
図面の説明をすると、図１〜図６−２は第一実施例を、図７〜図１２−２は第二実施例を示している。また、図１３はチューブ本体の口頸部の残留流動物を取出す状態の模式図を示している。そして、図１は第一実施例を示した容器の正面俯瞰図、図２は第一実施例を示したチューブ本体の正面俯瞰図、図３は第一実施例を示したチューブ本体と口頸部の一部を欠截した拡大正面俯瞰図、また、図４は第一実施例を示したキャップの拡大正面俯瞰図、図５は第一実施例を示したチューブ本体とキャップ、並びに蓋の模式図、図６−１は第一実施例を示したチューブ本体とキャップ、並びに蓋を分解した正面俯瞰図、図６−２は第一実施例の他の一例を示したチューブ本体とキャップ、並びに蓋を分解した正面俯瞰図である。そして、図７は第二実施例を示した容器の正面俯瞰図、図８は第二実施例を示した図７の要部の一部を欠截した拡大正面図、図９は第二実施例を示したチューブ本体の口頸部からキャップを取外し、その一部を欠截した拡大正面図、また、図１０は第二実施例を示したチューブ本体の口頸部の拡大正面図、図１１は第二実施例を示したキャップの拡大正面断面図、図１２−１は第二実施例を示したキャップの上部の拡大正面断面図、図１２−２は第二実施例の他の一例を示したキャップの下部の拡大正面断面図である。また、図１３はチューブ本体の口頸部の残留流動物を押出す所作を示す各実施例の模式図である。
【００２６】
以下、第一実施例を説明するが、共通部位は、第二実施例（各実施例）も同じであり、その説明は割愛する。図中１は可撓性のチューブ本体で、このチューブ本体１には、マヨネーズ、ケチャップ、ジャム、化粧液の流動物（内容物）が収容される。そして、このチューブ本体１の押出し側１ａで、かつ収れん部１００の先部に設けた段付き部１０１には、環状、又は扁平・異形（図示せず）形状の膜状肉薄素材、又は透明素材でなる膜状肉薄部の口頸部２を立設する。尚、この口頸部２の内面２ａと、前記チューブ本体１の収れん部１００の内面１ｂに内方に向かって膨出した誘導面３を設ける構造とし、この収れん部１００の内面１ｂに存在する高粘度流動物（流動物とする）が、抵抗なく、口頸部２に流れるように配慮したことを特徴とする。また、この口頸部２の基端側２００の周辺に、係止突条５（係止部）を形成する。そして、この係止突条５には、後述するキャップの係止凹条を、螺着（螺合）、嵌着（嵌合）等して係止（係合）することで、この口頸部６にキャップが螺着、嵌着等して設けられる。この係止突条５を、一条又は数条設けることで、例えば、この口頸部２を肉薄構造（膜状肉薄部の構造）とした際に、口頸部２の剛性（強度及び／又は撓み）を補完できること、また、この口頸部２の立設状態の確保及び／又はチューブ本体１を逆立ちにした際における立設状態が確保できること等の特徴を有する。尚、この係止突条５は、他の例と、テーパー形状、スリット形状、又は突起形状等とすることも可能である。
【００２７】
図中６は前記口頸部２に被嵌等で設けられる環状、又は扁平・異形（図示せず）形状のキャップで、このキャップ６の上部には押出し口７を、また下部の内面６ａには、前記係止突条５に係止される係止凹条８（被係止部）を有する。また、望ましくは、キャップ６の段付き内面６ａ１には、口頸部２の開放口２０１が嵌入される環状凹部６００を形成する（一例である）。そして、このキャップ６の押出し開口部７ａ（段付き内面６ａ１）の内面６ｂには、口頸部２の内面２ａに面一で連なる口部誘導面９を形成する。これにより、例えば、このキャップ６の残留流動物を確実に取出すことができること、又はこの口部誘導面９は、このキャップ６が肉薄構造であることに鑑み、この口部誘導面９の剛性を補完し、かつ口頸部２及び口部誘導面９の立設状態の確保及び／又はチューブ本体１を逆立ちにした際の立設状態を確保すること等の特徴がある。前記押出し口７は、図１、図４並びに図６−１等で示した星型の例と、図６−２に示した小孔型の例があるが一例である。そして、前述の如く、環状凹部６００を設けず、従来と同様に、キャップ６を口頸部２の外面に圧嵌、差込み、又は全体に螺着する等の構造もできる。
【００２８】
図中１０は、キャップ６の外周面に設けた螺子で、この螺子１０を利用し蓋１１を螺合するかが一例であり、その他として、例えば、蓋１１を、キャップ６に、嵌合、係合等の例も可能である。そして、本発明の容器は、チューブ本体１と、このチューブ本体１の口頸部２に設けたキャップ６で構成し、この容器には、蓋１１が設けられる。
【００２９】
そして、この第一実施例では、図５の分解図で理解できるように、口頸部２に、キャップ６を被嵌するときに、この口頸部２の開口２０１に、キャップ６の凹部６００を嵌着し、かつ口頸部２の係止突条５に、キャップ６の係止凹条８を螺着、嵌着等して設ける。これにより、口頸部２に、キャップ６が被嵌され、一体となり、使用においては、外れない。この嵌着状態で、流動物を取出すと、チューブ本体１内の流動物の内側及び／又はその周辺は、強制的に押圧されるとともに、この流動物の外側は、チューブ本体１の内面１ｂを伝わり、押出し側１ａに到り、その後、誘導面３にスムーズに誘導されて、口頸部２に到る。そして、この口頸部２に嵌着されたキャップ６の口部誘導面９に、その外側が誘導されながら、押出し口７より取出される構造である。従って、流動物の外側は、チューブ１の内面１ｂから、誘導面３を経由しながら、面一の口頸部２の内面２ａに到った後、キャップ６の口部誘導面９に到り、前述の如く、押出し口７より取出されることで、スムーズに、かつ力を要さず、幼児、又は老人、或いは病弱者等の力が無い人も、容易に取出しができる。そして、この取出しにより、品質に悪影響を与えず、かつ流動物に無駄な圧力を与えず、前述の如く、力を要さず、幼児、又は老人、或いは病弱者等の力が無い人も、容易に取出しができる。また、図１３の如く、肉薄及び／又は環状形状の口頸部２の残留流動物は、キャップ６を外した後に、手先、道具、箸を利用して、絞り込むことで、その略全てを簡易、かつ確実に取出しできて重宝する。また、透明素材でなる口頸部２では、流動物の確認が容易であり、また、キャップ６を透明素材が、窓孔６０１を設けることで、流動物の確認ができる。
【００３０】
次に、第二実施例を説明するが、前述の第一実施例と異なる構造を説明する。この口頸部２の基端側２００を、肉厚環状部２０２とする。この肉厚環状部２０２は、この口頸部２が肉薄構造であることに鑑み、この口頸部２の剛性を補完し、かつ口頸部２の立設状態の確保及び／又はチューブ本体１を逆立ちにした際の立設状態を確保すること等を意図する。そして、この肉厚環状部２０２の周辺には、係止用の突起１２（係止部）を複数個、均等、又はランダムに設ける。この突起１２が嵌着、螺着等される凹部１３（被係止部）を、キャップ６の下端部の肉薄部６０２に設ける（この肉薄部６０２の構造は、第一実施例も可能である）。この肉薄部６０２は、キャップ６を、口頸部２に、嵌着、螺着等して設ける際に、撓むことで、簡単かつスムーズに作業ができるので、重宝すること、又はキャップ６が破損することがないこと、材料の削減と、低コスト化、また、ＣО２の削減となること等の特徴がある（第一実施例も同じ）。前述の如く、キャップ６は、口頸部２に、嵌合、螺合等することで、この口頸部２に一体となり外れない。尚、前記突起２は、螺旋形状、テーパー形状、スリット形状等も可能であるが、その場合は、凹部１３の形状も、併せて変更することが望ましい。
【００３１】
そして、この第二実施例の使用は、前述の第一実施例に準ずる。
【図面の簡単な説明】
【００３２】
【図１】図１は第一実施例を示した容器の正面俯瞰図
【図２】図２は第一実施例を示したチューブ本体の正面俯瞰図
【図３】図３は第一実施例を示したチューブ本体と口頸部の一部を欠截した拡大正面俯瞰図
【図４】図４は第一実施例を示したキャップの拡大正面俯瞰図
【図５】図５は第一実施例を示したチューブ本体とキャップ、並びに蓋の模式図
【図６−１】図６−１は第一実施例を示したチューブ本体とキャップ、並びに蓋を分解した正面俯瞰図
【図６−２】図６−２は第一実施例の他の一例を示したチューブ本体とキャップ、並びに蓋を分解した正面俯瞰図
【図７】図７は第二実施例を示した容器の正面俯瞰図
【図８】図８は第二実施例を示した図７の要部の一部を欠截した拡大正面図
【図９】図９は第二実施例を示したチューブ本体の口頸部からキャップを取外し、その一部を欠截した拡大正面図
【図１０】図１０は第二実施例を示したチューブ本体の口頸部の拡大正面俯瞰図
【図１１】図１１は第二実施例を示したキャップの拡大正面断面図
【図１２−１】図１２−１は第二実施例を示したキャップの上部の拡大正面断面図
【図１２−２】図１２−２は第二実施例の他の一例を示したキャップの下部の拡大正面断面図
【図１３】図１３はチューブ本体の口頸部の残留流動物を押出す所作を示す各実施例の模式図
【符号の説明】
【００３３】
１            チューブ本体
１ａ          押出し側
１ｂ          内面
１００        収れん部
１０１        段付き部
２            口頸部
２ａ          内面
２００        基端側
２０１        開口
２０２        肉厚環状部
３            誘導面
５            係止突条
６            キャップ
６ａ          内面
６ａ１        段付き内面
６ｂ          内面
６００        環状凹部
６０１        窓孔
６０２        肉薄部
７            押出し口
７ａ          押出し開口部
８            係止凹条
９            口部誘導面
１０          螺子
１１          キャップ
１２          突起
１３          凹部
【図１】
2010168084.tif 000003
【図２】
2010168084.tif 000004
【図３】
2010168084.tif 000005
【図４】
2010168084.tif 000006
【図５】
2010168084.tif 000007
【図６−１】
2010168084.tif 000008
【図６−２】
2010168084.tif 000009
【図７】
2010168084.tif 000010
【図８】
2010168084.tif 000011
【図９】
2010168084.tif 000012
【図１０】
2010168084.tif 000013
【図１１】
2010168084.tif 000014
【図１２−１】
2010168084.tif 000015
【図１２−２】
2010168084.tif 000016
【図１３】
2010168084.tif 000017